(57)【特許請求の範囲】
【請求項１】
光ディスクの記録済みの領域に続けてデータを記録する記録手段と、
前記記録手段による記録を停止することが指示されることに応じて、一時停止の状態を設定する第１の設定手段と、
前記第１の設定手段により一時停止の状態が設定されたとき、前記光ディスクの停止の位置情報を記憶する記憶手段と、
一時停止の状態において、前記記録手段による記録を再開することが指示されたとき、前記記憶手段により記憶されている前記停止の位置情報を読み出す読み出し手段と、
一時停止の状態において、停止状態とすることが指示されたとき、録画終了処理を行う録画終了処理手段と
を備え、
前記記録手段による記録を再開したときは、前記読み出し手段により読み出された前記停止の位置情報に対応する前記光ディスクの位置から記録が開始され、
前記記録手段による記録を停止状態とするためには、一時停止の状態が設定された後、前記録画終了処理が実行される
ことを特徴とする記録装置。
【請求項２】
前記記録手段により記録された前記データを再生する再生手段と、
前記再生手段による再生を停止することが指示されたとき、それまでの再生が、一時停止の状態が解除されて開始された再生であるのか否かを判定する判定手段と、
前記判定手段により、一時停止の状態が解除されることで再生が開始されたと判定された場合、一時停止の状態を設定する第２の設定手段と
をさらに備えることを特徴とする請求項１に記載の記録装置。
【請求項３】
前記記録手段による記録を停止することが指示された場合に、誤り訂正ブロックを付加する所定の単位の前記データが取得されていないとき、前記記憶手段は、既に取得されている前記データをさらに記憶し、
一時停止の状態において、記録の開始が指示されたとき、前記記録手段は、前記記憶手段により記憶されている、既に取得されている前記データに基づいて記録を開始する
ことを特徴とする請求項１に記載の記録装置。
【請求項４】
前記記録手段により前記データが記録されている期間において、前記光ディスクの取り出しを禁止する禁止手段をさらに備える
ことを特徴とする請求項１に記載の記録装置。
【請求項５】
光ディスクの記録済みの領域に続けてデータを記録する記録ステップと、
前記記録ステップの処理による記録を停止することが指示されることに応じて、一時停止の状態を設定する第１の設定ステップと、
前記第１の設定ステップの処理により一時停止の状態が設定されたとき、前記光ディスクの停止の位置情報を記憶する記憶ステップと、
一時停止の状態において、前記記録ステップの処理による記録を再開することが指示されたとき、前記記憶ステップの処理により記憶されている前記停止の位置情報を読み出す読み出しステップと、
一時停止の状態において、停止状態とすることが指示されたとき、録画終了処理を行う録画終了処理ステップと
を含み、
前記記録ステップの処理による記録を再開したときは、前記読み出しステップの処理で読み出された前記停止の位置情報に対応する前記光ディスクの位置から記録が開始され、
前記記録ステップによる記録を停止状態とするためには、一時停止の状態が設定された後、前記録画終了処理が実行される
ことを特徴とする記録方法。
【請求項６】
前記記録ステップの処理により記録された前記データを再生する再生ステップと、
前記再生ステップの処理による再生を停止することが指示されたとき、それまでの再生が、一時停止の状態が解除されて開始された再生であるのか否かを判定する判定ステップと、
前記判定ステップの処理により、一時停止の状態が解除されることで再生が開始されたと判定された場合、一時停止の状態を設定する第２の設定ステップと
をさらに含むことを特徴とする請求項５に記載の記録方法。
【請求項７】
光ディスクの記録済みの領域に続けてデータを記録することを制御する記録制御ステップと、
前記記録制御ステップの処理による記録を停止することが指示されることに応じて、一時停止の状態を設定することを制御する設定制御ステップと、
前記設定制御ステップの処理により一時停止の状態が設定されたとき、前記光ディスクの停止の位置情報の記憶を制御する記憶制御ステップと、
一時停止の状態において、前記記録制御ステップの処理による記録を再開することが指示されたとき、前記記憶制御ステップの処理により記憶されている前記停止の位置情報の読み出しを制御する読み出し制御ステップと、
一時停止の状態において、停止状態とすることが指示されたとき、録画終了処理を行う録画終了処理ステップと
をコンピュータに実行させ、
前記記録ステップの処理による記録を再開したときは、前記読み出し制御ステップの処理で読み出された前記停止の位置情報に対応する前記光ディスクの位置から記録が開始され、
前記記録ステップによる記録を停止状態とするためには、一時停止の状態が設定された後、前記録画終了処理が実行される
ことを特徴とするプログラム。
【発明の詳細な説明】
【０００１】
【発明の属する技術分野】
本発明は、記録装置および方法、並びにプログラムに関し、特に、ビデオフォーマットで記録するDVDカムコーダの操作性を向上させるようにする記録装置および方法、並びにプログラムに関する。
【０００２】
【従来の技術】
近年、各社において開発、または発売されているDVD(Digital Versatile Disc)カムコーダの記録フォーマットには、記録編集を重視し、ランダムに所定のデータを書き込むビデオレコーディングフォーマットと、従来の互換性を重視し、直線的に（書き込みが終了している位置から追加して）データを書き込むビデオフォーマットとがある。
【０００３】
このビデオフォーマットにおいて、ビデオデータを書き込むビデオ領域は１つのVMG(Video Manager)と、最大９９のVTS(Video Title Set)（以下、適宜、タイトルと称する）から構成されている。なお、それぞれのVTSには、そのVTSの制御情報であるVTSI(Video Title Set Information)が含まれており、１タイトル分の記録が終了する毎に書き換えられる。
【０００４】
又、撮影したMPEGデータ等は、VTS_VOBSに保存される。このVTS_VOBSは、最大２５５のセル（cell）から構成されている。
【０００５】
そして、セルはビデオデータを記録する単位であり、２時間分のビデオデータを記録することができるディスクにおいて、１セルの記録時間は２８秒弱の時間となる。
【０００６】
図１は、従来のDVDカムコーダにおけるタイムチャートの例を示す図である。
【０００７】
ユーザが時刻Ｔ１において録画の開始を指示し、時刻Ｔ２において録画の停止を指示した場合、１タイトル分の記録が完了するタイミングである時刻Ｔ４まで録画が続けられる。また、その後、時刻Ｔ４から時刻Ｔ５の期間において、VTSIの書き換えが行われる。なお、時刻Ｔ２から時刻Ｔ５までの期間のDVDカムコーダの状態はスタンバイ状態（停止状態）である。
【０００８】
【発明が解決しようとする課題】
従って、図１に示すように、時刻Ｔ３のタイミングでユーザが再録画を指示した場合であっても、１タイトル分の録画処理とVTSIの書き換え処理が実行されるため、その再録画が開始されるのはVTSIの書き換えが終了した時刻Ｔ５からであるという課題があった。すなわち、記録を停止した直後に、録画を再開することができない。
【０００９】
例えば、録画を開始してから１５秒後に録画を停止した場合、１タイトルの最短の記録時間は１セルの記録時間に相当する２８秒弱であるため、残りの１３秒が経過するまで、ユーザは録画を再開することができず、操作性が悪いという課題があった。
【００１０】
また、図１において、時刻Ｔ２から時刻Ｔ４までの期間には、ユーザが所望しないデータが記録されることになるという課題があった。すなわち、DVDディスクの容量を浪費していることになる。
【００１１】
本発明はこのような状況に鑑みてなされたものであり、操作性を向上させるとともに、ディスク容量の浪費を抑制するようにしたものである。
【００１２】
【課題を解決するための手段】
本発明の記録装置は、光ディスクの記録済みの領域に続けてデータを記録する記録手段と、記録手段による記録を停止することが指示されることに応じて、一時停止の状態を設定する第１の設定手段と、第１の設定手段により一時停止の状態が設定されたとき、光ディスクの停止の位置情報を記憶する記憶手段と、一時停止の状態において、記録手段による記録を再開することが指示されたとき、記憶手段により記憶されている停止の位置情報を読み出す読み出し手段と、一時停止の状態において、停止状態とすることが指示されたとき、録画終了処理を行う録画終了処理手段とを備え、記録手段による記録を再開したときは、読み出し手段により読み出された停止の位置情報に対応する光ディスクの位置から記録が開始され、記録手段による記録を停止状態とするためには、一時停止の状態が設定された後、録画終了処理が実行されることを特徴とする。
【００１３】
記録手段により記録された前記データを再生する再生手段と、再生手段による再生を停止することが指示されたとき、それまでの再生が、一時停止の状態が解除されて開始された再生であるのか否かを判定する判定手段と、判定手段により、一時停止の状態が解除されることで再生が開始されたと判定された場合、一時停止の状態を設定する第２の設定手段とをさらに備えるようにすることができる。
【００１４】
記録手段による記録を停止することが指示された場合に、誤り訂正ブロックを付加する所定の単位の前記データが取得されていないとき、記憶手段は、既に取得されている前記データをさらに記憶し、記録の再開が指示されたとき、記録手段は、記憶手段により記憶されている、既に取得されているデータに基づいて記録を開始するようにすることができる。
【００１５】
記録手段によりデータが記録されている期間において、光ディスクの取り出しを禁止する禁止手段をさらに備えるようにすることができる。
【００１６】
本発明の記録装置の記録方法は、光ディスクの記録済みの領域に続けてデータを記録する記録ステップと、記録ステップの処理による記録を停止することが指示されることに応じて、一時停止の状態を設定する第１の設定ステップと、第１の設定ステップの処理により一時停止の状態が設定されたとき、光ディスクの停止の位置情報を記憶する記憶ステップと、一時停止の状態において、記録ステップの処理による記録を再開することが指示されたとき、記憶ステップの処理により記憶されている停止の位置情報を読み出す読み出しステップと、一時停止の状態において、停止状態とすることが指示されたとき、録画終了処理を行う録画終了処理ステップとを含み、記録ステップの処理による記録を再開したときは、読み出しステップの処理で読み出された停止の位置情報に対応する光ディスクの位置から記録が開始され、記録ステップによる記録を停止状態とするためには、一時停止の状態が設定された後、録画終了処理が実行されることを特徴とする。
本発明の記録装置の記録方法は、記録ステップの処理により記録されたデータを再生する再生ステップと、再生ステップの処理による再生を停止することが指示されたとき、それまでの再生が、一時停止の状態が解除されて開始された再生であるのか否かを判定する判定ステップと、判定ステップの処理により、一時停止の状態が解除されることで再生が開始されたと判定された場合、一時停止の状態を設定する第２の設定ステップとをさらに含むようにすることができる。
【００１７】
本発明のプログラムは、光ディスクの記録済みの領域に続けてデータを記録することを制御する記録制御ステップと、記録制御ステップの処理による記録を停止することが指示されることに応じて、一時停止の状態を設定することを制御する設定制御ステップと、設定制御ステップの処理により一時停止の状態が設定されたとき、光ディスクの停止の位置情報の記憶を制御する記憶制御ステップと、一時停止の状態において、記録制御ステップの処理による記録を再開することが指示されたとき、記憶制御ステップの処理により記憶されている停止の位置情報の読み出しを制御する読み出し制御ステップと、一時停止の状態において、停止状態とすることが指示されたとき、録画終了処理を行う録画終了処理ステップとをコンピュータに実行させ、記録制御ステップの処理による記録を再開したときは、読み出し制御ステップの処理で読み出された停止の位置情報に対応する前記光ディスクの位置から記録が開始され、記録ステップによる記録を停止状態とするためには、一時停止の状態が設定された後、録画終了処理が実行されることを特徴とする。
【００１８】
本発明の記録装置および方法、並びにプログラムにおいては、光ディスクの記録済みの領域に続けてデータが記録され、記録を停止することが指示されることに応じて、一時停止の状態が設定される。また、一時停止の状態が設定されたとき、光ディスクの停止の位置情報が記憶され、一時停止の状態において、記録を再開することが指示されたとき、記憶されている停止の位置情報が読み出され、一時停止の状態において、停止状態とすることが指示されたとき、録画終了処理が行われる。そして、読み出された停止の位置情報に対応する光ディスクの位置から記録が開始され、また、記録を停止状態とするためには、一時停止の状態が設定された後、録画終了処理が実行される。
【００１９】
【発明の実施の形態】
図２は、本発明を適用したDVDカムコーダ１の構成例を示すブロック図である。
【００２０】
カメラブロック１１は、撮像用のレンズや、そのレンズを駆動させるモータ、およびレンズから入力された被写体の光を電気信号に変換するCCD(Charge Coupled Device)などから構成される。そして、カメラブロック１１は、撮影した画像信号をディジタルデータに変換し、圧縮／伸長処理部１４のビデオ処理部３２に出力する。
【００２１】
オーディオ入力部１２は、接続されるマイクロフォンにより集音され、供給されてきたオーディオ信号をディジタルデータに変換し、圧縮／伸長処理部１４のオーディオ処理部３３に出力する。
【００２２】
ビデオ処理部３２は、カメラブロック１１から供給されてきたビデオデータに対して、例えば、MPEG(Moving Picture Experts Group)２フォーマットに基づいて、DCT（離散コサイン変換）処理、量子化処理などを施し、圧縮されたビデオデータを多重化処理部３１に出力する。また、ビデオ処理部３２は、多重化処理部３１から供給されてきたビデオデータを、例えば、MPEG２フォーマットに基づいて伸長し、取得したビデオデータをビデオ／オーディオエンコーダ１３に出力する。
【００２３】
オーディオ処理部３３は、オーディオ入力部１２から供給されてきたオーディオデータをMPEGオーディオ、ドルビーディジタル、またはリニアPCMなどのフォーマットに基づいて圧縮し、得られたオーディオデータを多重化処理部３１に出力する。また、オーディオ処理部３３は、多重化処理部３１から供給されてきたオーディオデータを伸長し、取得したオーディオデータをビデオ／オーディオエンコーダ１３に出力する。
【００２４】
多重化処理部３１は、ビデオ処理部３２から供給されてきたビデオデータ、およびオーディオ処理部３３から供給されてきたオーディオデータを多重化処理し、取得したミキシングデータをDVD信号処理部１６に出力する。多重化処理部３１は、例えば、DVDディスク２の記録フォーマットに応じて、DVDディスク２の１セクタの記録容量に相当する２０４８byte単位でミキシングデータを出力する。
【００２５】
また、多重化処理部３１は、DVD信号処理部１６から供給されてきたデータをビデオデータおよびオーディオデータに分離し、ビデオデータをビデオ処理部３２に、オーディオデータをオーディオ処理部３３にそれぞれ出力する。
【００２６】
DVD信号処理部１６は、制御用マイクロコンピュータ１９（以下、制御用マイコン１９と称する）ユーザにより録画が指示された場合、圧縮／伸長処理部１４の多重化処理部３１から供給されてきたデータに、所定のエラー訂正ブロックを付加し、エラー訂正ブロックを付加したデータを８／１６変調し、スクランブル等を施した後、アナログフロントエンド２０に出力する。例えば、DVD信号処理部１６は、圧縮／伸長処理部１４から供給されるデータの１６セクタ分をひとまとまりとして、１つのエラー訂正ブロックを付加する。
【００２７】
そして、DVD信号処理部１６は、録画の停止が指示された場合、そのときのDVDディスク２のトラック番号、およびセクタ番号（以下、トラック番号とセクタ番号とを区別する必要がない場合、適宜、まとめて位置情報と称する）等をレコーディングRAM１８に保存し、録画の再開が指示されたとき、保存されている位置情報に対応するDVDディスク２の位置から録画を再開する。
【００２８】
また、エラー訂正ブロックを付加する１６セクタ分のデータが供給されてくる前に録画の停止が指示された場合、既に供給されているデータなどもレコーディングRAM１８に保存される。
【００２９】
例えば、８セクタ分のデータが圧縮／伸長処理部１４から供給されたときに録画の停止が指示された場合、その８セクタ分のデータがレコーディングRAM１８に保存される。そして、録画が再開され、レコーディングRAM１８に保存されているデータも含めて１６セクタ分のデータが供給されてきたき、DVD信号処理部１６は、エラー訂正ブロックを付加し、他の所定の処理を施した後、取得したデータをアナログフロントエンド２０に出力する。
【００３０】
なお、録画の停止が指示された場合、DVDカムコーダ１は、電源のオフ、またはディスクの取り出し等が指示されるまで、ポーズ状態とされる。録画の停止が指示されたときのDVDカムコーダ１の処理については後に詳述する。
【００３１】
DVD信号処理部１６は、アナログフロントエンド２０から供給されてきたDVD再生ストリームを再生するとき、プレイバックRAM１７において、８／１６復調し、所定のエラー訂正、およびデスクランブルなどを施して、得られたデータを圧縮／伸長処理部１４に出力する。
【００３２】
また、DVD信号処理部１６は、アナログフロントエンド２０から供給されてきたトラッキングエラー信号に基づいて、スピンドルモータ２２、光学ヘッド２３、およびスレッドモータ２４を制御するためのサーボ系信号を生成し、それをモータアンプ２１に出力する。
【００３３】
制御用マイコン１９は、図示せぬ入力部から供給される、ユーザからの指示に対応する信号に基づいて、アナログフロントエンド２０、DVD信号処理部１６、圧縮／伸長処理部１４、およびビデオ／オーディオエンコーダ１３を含む、DVDカムコーダ１の全体の動作を制御する。
【００３４】
アナログフロントエンド２０は、制御用マイコン１９の制御に基づいて、DVD信号処理部１６から供給されるDVD記録ストリームをアナログ変換し、増幅などの処理を施した後、光学ヘッド２３に出力するとともに、光学ヘッド２３におけるレーザーの発光を制御する。
【００３５】
また、アナログフロントエンド２０は、DVDディスク２に記録されているデータを読み出すとき、光学ヘッド２３から供給された、レーザーの反射光に対応する信号を増幅し、ディジタル変換した後、DVD再生ストリームとしてDVD信号処理部１６に出力する。また、アナログフロントエンド２０は、光学ヘッド２３から供給された、反射光の強さに対応する信号からトラッキングエラー信号などを生成し、ディジタル変換してDVD信号処理部１６に出力する。
【００３６】
モータアンプ２１は、DVD信号処理部１６から供給されるサーボ系信号に基づいて、スピンドル制御信号、フォーカストラッキング制御信号、スレッド制御信号を生成し、それらをスピンドルモータ２２、光学ヘッド２３、およびスレッドモータ２４のそれぞれに出力して各部を制御する。
【００３７】
スピンドルモータ２２は、モータアンプ２１から供給されるスピンドル制御信号に基づいて、DVDカムコーダ１に装着されたDVDディスク２を所定の回転速度で回転させる。
【００３８】
光学ヘッド２３は、モータアンプ２１から供給されるフォーカストラッキング制御信号、およびアナログフロントエンド２０の制御に基づいて、照射部（不図示）からDVDディスク２の所定の位置にレーザーを照射する。また、光学ヘッド２３は、照射部から照射され、DVDディスク２の表面で反射されたレーザーを受光し、DVDディスク２のピットを読み取り、反射光の強さに対応する信号をアナログフロントエンド２０に出力する。
【００３９】
スレッドモータ２４は、光学ヘッド２３をDVDディスク２の中心から円周を結ぶ直線上の所定の位置に移動させ、光学ヘッド２３がDVDディスク２の所定のピットトラックにレーザーを照射し、DVDディスク２に記録されているデータを読み取ることができるようにする。
【００４０】
図３は、図２のDVDカムコーダ１のタイムチャートの例を示す図である。
【００４１】
時刻Ｔ１１において、図示せぬ入力部から録画の開始が指示され、時刻Ｔ１２で録画の停止が指示された場合、停止が指示されることに応じて、上述したように、そのときのDVDディスク２の位置情報、およびエラー訂正ブロックを付加するための１６セクタ分に満たないデータがレコーディングRAM１８に保存される。
【００４２】
また、DVDカムコーダ１はポーズ状態とされる。従って、DVDカムコーダ１がスタンバイ状態とされた場合は、図１に示したように、１タイトル分の記録が完了するまで録画が続けられ、その後、VTSIが書き換えられるが、ポーズ状態であるため、１タイトルの途中であっても、その状態が保存される。当然、１タイトル分の記録が完了したときに行われるVTSIの書き換え処理は実行されない。
【００４３】
そして、時刻Ｔ１３で再録画が指示された場合、レコーディングRAM１８に保存されていた位置情報等が読み出され、対応するDVDディスク２の位置から録画が開始される。
【００４４】
図３に示すように、録画の停止が指示されたときにポーズ状態とするようにしたので、その直後に録画を再開することができる。
【００４５】
次に、図４、および図５のフローチャートを参照して、図２のDVDカムコーダ１の録画処理について説明する。
【００４６】
ステップＳ１において、制御用マイコン１９は、DVDディスク２が装着されているか否かを判定し、DVDディスク２が装着されていると判定するまで、例えば、「NO DISK」等のメッセージを図示せぬ表示部に表示して待機する。制御用マイコン１９は、DVDディスク２が装着されていると判定した場合、ステップＳ２に進む。
【００４７】
制御用マイコン１９は、ステップＳ２において、図示せぬ入力部からの信号に基づいて、ユーザから録画の開始が指示されたか否かを判定し、録画の開始が指示されたと判定した場合、ステップＳ３に進み、録画モードとする。
【００４８】
録画モードにおいて、カメラブロック１１から供給されてきたビデオデータ、およびオーディオ入力部１２から供給されてきたオーディオデータは、ビデオ処理部３２、およびオーディオ処理部３３で所定のフォーマットでそれぞれ圧縮され、多重化処理部３１で多重化処理が施された後、得られたミキシングデータが、上述したように、約２kbyte（１セクタ）の単位でDVD信号処理部１６に出力される。DVD信号処理部１６は、１６セクタ分のデータが供給されてきたとき、エラー訂正ブロックを付加し、得られたデータに８／１６変調処理、およびスクランブル等の処理を施した後、DVD記録ストリームとしてアナログフロントエンド２０に出力する。アナログフロントエンド２０は、供給されてきたストリームをアナログ変換し、光学ヘッド２３を制御してDVDディスク２に記録する。
【００４９】
ステップＳ４において、制御用マイコン１９は、DVDディスク２に空き容量があるか否かを判定し、空き容量がないと判定した場合、ステップＳ１２に進み、後述する録画終了処理を実行する。また、制御用マイコン１９は、ステップＳ４で、DVDディスク２に空き容量があると判定した場合、録画を続行し、ステップＳ５に進む。
【００５０】
制御用マイコン１９は、ステップＳ５において、ユーザから録画の停止が指示されたか否かを判定し、指示されていないと判定した場合、ステップＳ３に戻り、それ以降の処理を繰り返し実行する。また、制御用マイコン１９は、ステップＳ５で、録画の停止が指示されたと判定した場合、ステップＳ６に進み、DVD信号処理部１６を制御し、図３を参照して説明したように、DVDディスク２の位置情報、および１６セクタ分に満たないデータをレコーディングRAM１８に保存させる。DVD信号処理部１６は、録画を停止したことを識別するフラグ（以下、ポーズフラグと称する）をレコーディングRAM１８に設定する。
【００５１】
そして、ステップＳ７において、DVDカムコーダ１はポーズ状態とされる。
【００５２】
ステップＳ８において、制御用マイコン１９は、ユーザから再録画が指示されたか否かを判定し、再録画が指示されたと判定した場合、録画を再開する。すなわち、DVD信号処理部１６は、ステップＳ９において、レコーディングRAM１８に保存されている位置情報等のデータを読み出し、ステップＳ３に戻り、位置情報により指定されるDVDディスク２の位置から、録画を再開する。
【００５３】
一方、ステップＳ８において、制御用マイコン１９は、再録画が指示されていないと判定した場合、ステップＳ１０に進み、DVDディスク２に記録されているデータの再生処理が指示されたか否かを判定する。なお、この再生処理には、DVDディスク２に記録されているデータの早送り、巻き戻し等の処理も含まれる。
【００５４】
制御用マイコン１９は、ステップＳ１０で、再生処理が指示されていないと判定した場合、ステップＳ１１に進み、スタンバイボタンが押されたか否かを判定する。DVDカムコーダ１においては、録画を停止したとき、その内部状態はポーズ状態であるため、ポーズ状態をスタンバイ状態（停止状態）とするには、ユーザは、録画の停止ボタンを押すことに続いて、さらにスタンバイボタンを押す必要がある。
【００５５】
なお、ユーザがDVDカムコーダ１の状態をスタンバイ状態に遷移させるためには、スタンバイボタンを操作するだけでなく、録画の停止ボタンを２回連続で押すことなどにより遷移させることができるようにしてもよい。
【００５６】
制御用マイコン１９は、ステップＳ１１において、スタンバイボタンが押されていないと判定した場合、ステップＳ７に戻り、ポーズ状態で待機し、スタンバイボタンが押されたと判定した場合、DVDカムコーダ１の内部状態をスタンバイ状態に遷移させ、ステップＳ１２に進む。
【００５７】
ステップＳ１２において、録画終了処理が実行される。例えば、DVD信号処理部１６は、制御用マイコン１９からの制御に基づいて、録画終了処理として、１タイトル分の録画が完了するまで録画を続行し、１タイトル分の記録が完了したとき、VTSIを書き換える。また、DVD信号処理部１６は、録画終了処理として、DVDディスク２に記録したデータを他の再生装置でも再生できるように互換性を持たせるための、いわゆるファイナライズ等の処理を行う。
【００５８】
ステップＳ１３において、制御用マイコン１９は、DVDディスク２の取り出しが指示されたか否かを判定し、指示されたと判定した場合、ステップＳ１に戻り、それ以降の処理を繰り返し実行する。なお、DVDカムコーダ１においては、データの書き込み処理、およびファイナライズ等の処理が終了する前にDVDディスク２が取り出されるのを抑制するため、DVDディスク２の取り出しには、電源による駆動が必要とされるようにしてもよい。
【００５９】
制御用マイコン１９は、ステップＳ１３において、DVDディスク２の取り出しが指示されていないと判定した場合、ステップＳ１４に進み、電源をオフとすることが指示されたか否かを判定する。
【００６０】
制御用マイコン１９は、ステップＳ１４で、電源のオフが指示されていないと判定した場合、ステップＳ２に戻り、それ以降の処理を繰り返し実行する。また、御用マイコン１９は、電源のオフが指示されたと判定した場合、図示せぬバッテリからの電源の供給を停止し、処理を終了する。
【００６１】
一方、ステップＳ２において、制御用マイコン１９は、録画の開始が指示されていないと判定した場合、ステップＳ１５に進む。
【００６２】
制御用マイコン１９は、ステップＳ１５において、DVDディスク２に保存されているデータの再生処理（再生、早送り、巻き戻し等を含む）が指示されたか否かを判定し、指示されていないと判定した場合、ステップＳ２に戻り、それ以降の処理を繰り返し実行する。
【００６３】
ステップＳ１５において、DVDディスク２に保存されているデータの再生処理が指示されたと判定された場合、および、ステップＳ１０において、同様に、DVDディスク２に保存されているデータの再生処理が指示されたと判定された場合、ステップＳ１６において再生モードとされる。
【００６４】
そして、DVD信号処理部１６は、ステップＳ１７において、プレイバックRAM１７を使用し、再生処理を行う。すなわち、DVD信号処理部１６は、アナログフロントエンド２０から供給されてきたDVD再生ストリームに対して、復調、エラー訂正、およびデスクランブル等の処理を施し、得られたデータを圧縮／伸長処理部１４に出力する。圧縮／伸長処理部１４の多重化分離部３１は、供給されてきたデータをビデオデータとオーディオデータとに分離し、ビデオデータをビデオ処理部３２に、オーディオデータをオーディオ処理部３３にそれぞれ出力する。ビデオ処理部３２、およびオーディオ処理部３３においては、それぞれ伸長処理が実行され、伸長されたデータがビデオ／オーディオエンコーダ１３に出力される。ビデオ／オーディオエンコーダ１３は、供給されてきたデータをエンコードし、アナログ信号として、図示せぬ後段の表示部等に出力する。
【００６５】
ステップＳ１８において、制御用マイコン１９は、再生処理の終了が指示されたか否かを判定し、再生処理の終了が指示されたと判定するまでステップＳ１６に戻り、それ以降の処理を繰り返し実行する。
【００６６】
制御用マイコン１９は、ステップＳ１８で、再生処理の停止が指示されたと判定した場合、ステップＳ１９に進み、再生処理を停止し、ポーズ状態とする。
【００６７】
ステップＳ２０において、DVD信号処理部１６は、制御用マイコン１９からの制御に基づいて、レコーディングRAM１８にポーズフラグが設定されているか否かを判定する。例えば、録画の停止が指示され、ポーズ状態のときに再生が指示されている場合、レコーディングRAM１８にはポーズフラグが設定されている。
【００６８】
そして、DVD信号処理部１６は、レコーディングRAM１８にポーズフラグが設定されていると判定した場合、ステップＳ８に戻り、それ以降の処理を繰り返し実行する。一方、DVD信号処理部１６は、ステップＳ２０で、ポーズフラグが設定されていないと判定した場合、ステップＳ１３に戻り、それ以降の処理を繰り返し実行し、その後、電源のオフが指示されたとき、処理を終了する。なお、ステップＳ２０で、ポーズフラグが設定されていないと判定されたとき、DVDカムコーダ１はスタンバイ状態とされる。
【００６９】
以上のように、録画の停止が指示されたときに、ポーズ状態で待機するようにしたので、その直後に録画の再開が指示された場合であっても、すぐに対応する処理を行うことができる。
【００７０】
また、録画の停止が指示されたときに、DVDディスク２の位置情報を保存し、再録画が指示された場合、その続きのDVDディスク２の位置から記録を再開するようにしたので、ディスク容量の浪費を抑制することができる（図１における時刻Ｔ２から時刻Ｔ４までの分の容量の浪費を抑制することができる）。
【００７１】
なお、レコーディングRAM１８には、トラック番号、およびセクタ番号などの位置情報と、記録途中のデータ（エラー訂正ブロックを付加することができないデータ）等が保存されることとしたが、その他、様々な情報を保存するようにすることもできる。例えば、再録画が指示された場合に、記録を再開すべきトラック、およびセクタを容易に検出できるように、チャプタ番号等を設定するようにすることもできる。
【００７２】
上述した例においては、本発明をDVDカムコーダに適用した場合について説明したが、記録済みの領域に続いて追加的にデータを記録する装置であれば、いずれの装置にも適用することができる。当然、ビデオフォーマットでデータを記録、再生するDVD記録再生装置にも本発明を適用することができる。
【００７３】
上述した一連の処理は、ハードウェアにより実行させることもできるが、ソフトウェアにより実行させることもできる。この場合、例えば、DVDカムコーダ１は、図６に示されるようなパーソナルコンピュータにより構成される。
【００７４】
図６において、CPU（Central Processing Unit）３１は、ROM（Read Only Memory）３２に記憶されているプログラム、または、記憶部３８からRAM（Random Access Memory）３３にロードされたプログラムに従って各種の処理を実行する。RAM３３にはまた、CPU３１が各種の処理を実行する上において必要なデータなどが適宜記憶される。
【００７５】
CPU３１、ROM３２、およびRAM３３は、バス３４を介して相互に接続されている。このバス３４にはまた、入出力インタフェース３５も接続されている。
【００７６】
入出力インタフェース３５には、キーボード、マウスなどよりなる入力部３６、CRT(Cathode Ray Tube)，LCD(Liquid Crystal Display)などよりなるディスプレイ、並びにスピーカなどよりなる出力部３７、ハードディスクなどより構成される記憶部３８、モデム、ターミナルアダプタなどより構成される通信部３９が接続されている。通信部３９は、ネットワークを介しての通信処理を行う。
【００７７】
入出力インタフェース３５にはまた、必要に応じてドライブ４０が接続され、磁気ディスク４１、光ディスク４２、光磁気ディスク４３、或いは半導体メモリ４４などが適宜装着され、それから読み出されたコンピュータプログラムが、必要に応じて記憶部３８にインストールされる。
【００７８】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば、汎用のパーソナルコンピュータなどに、ネットワークや記録媒体からインストールされる。
【００７９】
この記録媒体は、図６に示すように、装置本体とは別に、ユーザにプログラムを提供するために配布される、プログラムが記録されている磁気ディスク４１（フロッピディスクを含む）、光ディスク４２（CD-ROM(Compact Disk-Read Only Memory)，DVD(Digital Versatile Disk)を含む）、光磁気ディスク４３（MD(Mini-Disk)を含む）、もしくは半導体メモリ４４などよりなるパッケージメディアにより構成されるだけでなく、装置本体に予め組み込まれた状態でユーザに提供される、プログラムが記録されているROM３２や、記憶部３８に含まれるハードディスクなどで構成される。
【００８０】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【発明の効果】
本発明の記録装置および方法、並びにプログラムによれば、光ディスクの記録済みの領域に続けてデータを記録し、記録を停止することが指示されることに応じて、一時停止の状態を設定する。また、一時停止の状態を設定したとき、光ディスクの停止の位置情報を記憶し、一時停止の状態において、記録を再開することが指示されたとき、記憶されている停止の位置情報を読み出し、一時停止の状態において、停止状態とすることが指示されたとき、録画終了処理を行う。そして、読み出した停止の位置情報に対応する光ディスクの位置から記録を開始し、また、記録を停止状態とするためには、一時停止の状態が設定された後、録画終了処理を実行するようにしたので、録画を停止した直後に、録画を再開することができ、操作性を向上させるとともに、ディスク容量の浪費を抑制することができる。
【図面の簡単な説明】
【図１】従来のDVDカムコーダのタイムチャートを示す図である。
【図２】本発明を適用したDVDカムコーダの構成例を示すブロック図である。
【図３】図２のDVDカムコーダのタイムチャートの例を示す図である。
【図４】図２のDVDカムコーダの処理を説明するフローチャートである。
【図５】図２のDVDカムコーダの処理を説明する図４に続くフローチャートである。
【図６】パーソナルコンピュータの構成例を示すブロック図である。
【符号の説明】
１  DVDカムコーダ，  ２  DVDディスク，  １１  カメラブロック，  １２  オーディオ入力部，  １３  ビデオ／オーディオエンコーダ，  １４  圧縮／伸長処理部，  １５  RAM，  １６  DVD信号処理部，  １７  プレイバックRAM，１８  レコーディングRAM，  １９  制御用マイクロコンピュータ，  ２０  アナログフロントエンド，  ２１  モータアンプ，  ２２  スピンドルモータ，２３  光学ヘッド，  ２４  スレッドモータ，  ３１  CPU，  ３２  ROM，  ３３  RAM，  ３４  バス，  ３５  入出力インタフェース，  ３６  入力部，３７  出力部，  ３８  記憶部，  ３９  通信部，  ４０  ドライブ，  ４１磁気ディスク，  ４２  光ディスク，  ４３  光磁気ディスク，  ４４  半導体メモリ
【図１】
0003682859.tif 000002
【図２】
0003682859.tif 000003
【図３】
0003682859.tif 000004
【図４】
0003682859.tif 000005
【図５】
0003682859.tif 000006
【図６】
0003682859.tif 000007